(57)【要約】【課題】懐中電灯のような照明装置を携帯するまでもなく、ＤＩＰスイッチの操作面を照らすことができ、ＤＩＰスイッチの存在位置を容易に確認することができるとともに、操作すべきスライダの判別およびポジションの確認をも容易にすることができるライトガイドおよび照光機能付きＤＩＰスイッチを提供する。【解決手段】入光部と出光部とを有する少なくとも１つの導光部と、この導光部と一体的に設けられた枠体とからなり、前記枠体は既存のＤＩＰスイッチの外周を覆った状態で該ＤＩＰスイッチと係止可能な係止片を備え、前記導光部の入光部から入射した光を導光部内で屈折あるいは反射させることにより、出光部から出射された光が該ＤＩＰスイッチのスライダ操作部を照光可能とする。【選択図】  図１
2004259628.tif 000002
【特許請求の範囲】
【請求項１】
入光部と出光部とを有する少なくとも１つの導光部と、この導光部と一体的に設けられた枠体とからなり、前記枠体は既存のＤＩＰスイッチの外周を覆った状態で該ＤＩＰスイッチと係止可能な係止片を備え、前記導光部の入光部から入射した光を導光部内で屈折あるいは反射させることにより、出光部から出射された光が該ＤＩＰスイッチのスライダ操作部を照光可能としたことを特徴とするライトガイド。
【請求項２】
前記ＤＩＰスイッチの操作面全面を照光可能なように、前記導光部の出光部を略扇状に形成したことを特徴とする請求項１記載のライトガイド。
【請求項３】
光源を前記導光部の入光部下方に位置するように係止可能な光源係止ガイド部を枠体あるいは導光部に設けたことを特徴とする請求項１または請求項２記載のライトガイド。
【請求項４】
複数のスライダ操作部を備えるＤＩＰスイッチにおいて、入光部と出光部とを有する導光部と、前記導光部の入光部近傍に配置した光源とを備えるとともに、前記導光部を該ＤＩＰスイッチの側方に一体的に設けることにより、前記導光部の入光部から入射した光源の光を導光部内で屈折あるいは反射させて出光部へと導き、出光部から出射された光が該ＤＩＰスイッチのスライダ操作部を照光可能としたことを特徴とする照光機能付きＤＩＰスイッチ。
【請求項５】
前記光源を前記入光部近傍に係止可能な光源係止部をＤＩＰスイッチ本体側面に設けたことを特徴とする請求項４記載の照光機能付きＤＩＰスイッチ。
【発明の詳細な説明】
【０００１】
【発明の属する技術分野】
本発明は、基板に搭載された複数のスライダ操作部を有するＤＩＰスイッチに簡単に装着可能なライトガイドに関するものであり、また、このようなライトガイドを備えるＤＩＰスイッチに関するものである。
【０００２】
【従来の技術】
従来、複数のスライダ操作部を有するＤＩＰスイッチは、回路基板等に搭載され、各種装置の設定等に多用されている。
通常、このようなＤＩＰスイッチの設定は、装置を設置する前に操作する場合がほとんどであり、装置を設置した後に操作するようなことはあまりない状況であったが、携帯電話の通信設備等にあっては、装置設置後にも操作をする機会があり、概してこのような装置は、暗い場所に設置されているケースが多く、暗闇で操作することはほとんど不可能であるため、必ず懐中電灯のような照明装置を携帯する必要があった。
【０００３】
【発明が解決しようとする課題】
しかし、懐中電灯のような照明装置を携帯することは非常に煩わしく、また、このような照明装置があっても、ＤＩＰスイッチのように多数のスライダ操作部を有している場合には、操作すべき箇所が判り難く、なおかつスライダポジションの判別も非常に困難であるため、誤操作や誤設定を引き起こす虞があった。
【０００４】
本発明は以上のような従来の欠点に鑑み、これらの欠点を除去するためになされたものであり、懐中電灯のような照明装置を携帯するまでもなく、ＤＩＰスイッチの操作面を照らすことができ、ＤＩＰスイッチの存在位置を容易に確認することができるとともに、操作すべきスライダの判別およびポジションの確認をも容易にすることができるライトガイドおよび照光機能付きＤＩＰスイッチを得ることを目的としている。
【０００５】
本発明の目的と新規な特徴は、次の説明を添付図面と照らし合わせて読むことにより、より完全に明らかになるであろう。ただし、図面はもっぱら解説のためのものであって、本発明の技術的範囲を限定するものではない。
【０００６】
【課題を解決するための手段】
上記目的を達成するために、本発明は入光部と出光部とを有する少なくとも１つの導光部と、この導光部と一体的に設けられた枠体とからなり、前記枠体は既存のＤＩＰスイッチの外周を覆った状態で該ＤＩＰスイッチと係止可能な係止片を備え、前記導光部の入光部から入射した光を導光部内で屈折あるいは反射させることにより、出光部から出射された光が該ＤＩＰスイッチのスライダ操作部を照光可能とすることによりライトガイドを構成している。
【０００７】
また、前記ＤＩＰスイッチの操作面全面を照光可能なように、前記導光部の出光部を略扇状に形成することによりライトガイドを構成している。
【０００８】
さらに、光源を前記導光部の入光部下方に位置するように係止可能な光源係止ガイド部を枠体あるいは導光部に設けることによりライトガイドを構成している。
【０００９】
また、複数のスライダ操作部を備えるＤＩＰスイッチにおいて、入光部と出光部とを有する導光部と、前記導光部の入光部近傍に配置した光源とを備えるとともに、前記導光部を該ＤＩＰスイッチの側方に一体的に設けることにより、前記導光部の入光部から入射した光源の光を導光部内で屈折あるいは反射させて出光部へと導き、出光部から出射された光が該ＤＩＰスイッチのスライダ操作部を照光可能とすることにより照光機能付きＤＩＰスイッチを構成している。
【００１０】
さらに、前記光源を前記入光部近傍に係止可能な光源係止部をＤＩＰスイッチ本体側面に設けることにより照光機能付きＤＩＰスイッチを構成している。
【００１１】
【実施の形態】
以下、添付図面を参照して本発明の実施の形態を詳細に説明する。
【００１２】
図１乃至図６に示す本発明の第１の実施の形態のライトガイドにおいて、１は透明ポリカーボネート等の導光部材からなるライトガイドで、略長方形に形成された枠体３と、この枠体３の長辺側両端部近傍には、入光部７と出光部５とを有する導光部６が枠体３と一体的に設けられている。この枠体３の内周面下方には、既存のＤＩＰスイッチ２１の外周面と当接可能な複数の係止片９，９，９，・・・，９が設けられており、このＤＩＰスイッチ２１の上方からライトガイド１を嵌め込むことにより、ＤＩＰスイッチ２１の外周面下方と、ライトガイド１に設けられた複数の係止片９，９，９，・・・，９とが当接し、ＤＩＰスイッチ２１にライトガイド１を係止することができる。この状態を示したものが図７乃至図１０である。
【００１３】
通常、ＤＩＰスイッチ２１は回路基板上（図示せず）に半田付けされることにより搭載されるが、ＤＩＰスイッチ２１とともに光源である発光ダイオード３１を、前記ライトガイド１の入光部７の下方に位置するように半田付けにより回路基板上に搭載しておき、この状態でライトガイド１をＤＩＰスイッチ２１に嵌め込むことにより、図１１乃至図１２の太線矢印で示すように、発光ダイオード３１からの光を、入光部７、導光部６内、出光部５、ＤＩＰスイッチ２１の操作面の順に導くことで、操作面の照光が可能となる。
このとき、発光ダイオード３１からの光は、導光路６の湾曲部で略直角方向へ屈折あるいは反射されるとともに、略扇状に形成された出光部５により、ＤＩＰスイッチ２１の操作面全面へと導かれるため、複数のスライダ操作部２３，２３，・・・，２３をほぼ均等に照光することができる。
【００１４】
このように、本発明の第１の実施の形態のライトガイドにあっては、既存のＤＩＰスイッチに容易に着脱することができるため、ＤＩＰスイッチが搭載される回路基板のパターン変更により、光源である発光ダイオードを点灯可能な状態でＤＩＰスイッチの側方、すなわち、ＤＩＰスイッチにライトガイドを嵌め込んで係止された状態で、ライトガイドの入光部下方に位置するように搭載することにより、容易に照光機能付きＤＩＰスイッチを構成することができる。
このため、発光ダイオードの点灯により、スライダ操作部や操作面全面を照光することができるため、別途懐中電灯のような照明装置を携帯する必要がなくなり、煩わしさを解消することができる。
また、ＤＩＰスイッチごと、あるいは、操作すべきＤＩＰスイッチ郡ごとに、発光ダイオードの発光色を変えたり、所望の発光ダイオードのみを点灯させる、あるいは、導光部材であるポリカーボネートに着色を施すなどの工夫により、操作すべきＤＩＰスイッチや、ＤＩＰスイッチ郡を明示することも可能であることから、誤って異なるＤＩＰスイッチを操作してしまうといった不具合も未然に防止することができる。
【００１５】
次に、本発明の異なる実施の形態について、図１３乃至図１８を参照して説明する。なお、本発明の第１の実施の形態と同様の構成部分については、同様の符号を付すことにより重複する説明を省略する
【００１６】
図１３乃至図１４に示す本発明の第２の実施の形態のライトガイドにおいて、本発明の第１の実施の形態のライトガイドと主として異なるところは、ライトガイド１ｂを非導光部材からなる樹脂により形成し、空洞の導光部６ｂの屈曲部に反射ミラー４を設けたことであり、このように構成しても本発明の第１の実施の形態のライトガイドと同様の効果を得ることができる。
【００１７】
なお、反射ミラー４を設ける代わりに、導光部６ｂ内の反射率を高めるような薄膜体（図示せず）を、導光部６ｂ内に設けるなどしてもよい。
また、ライトガイドをポリカーボネートのような導光部材で形成する場合には、出光部の形状を図１乃至図６に示すように略扇形に形成することが望ましいが、このように導光部が空洞の場合には必ずしも略扇形にする必要はない。
さらに、入光部７ｂを下方に延出させ、この下端内周部にゴム等の弾性体を固着したり、内周部に凹凸を形成したりすることにより、発光ダイオード３１等の光源を係止可能な光源係止部（図示せず）を設けることもでき、その場合には、光源の位置決め精度を高めることができるため、照光をより確実なものとすることができる。
【００１８】
図１５乃至図１８は、本発明の照光機能付きＤＩＰスイッチに適したＤＩＰスイッチおよび照光機能付きＤＩＰスイッチを示したもので、１０は少なくとも２つ以上のスライダ操作部２３，２３と、それに対応した複数の端子２５，２５，２５，２５とを備えるＤＩＰスイッチで、前記光源である発光ダイオード３１を所望の箇所に配置するための光源係止部１３をＤＩＰスイッチ本体１１に設けたものである。
この光源係止部１３は、ＤＩＰスイッチ本体１１の側面（この場合は両側面）に設けられており、その中心付近には発光ダイオード３１の外形とほぼ同じか、やや大きい寸法を有する光源係止孔１５が形成されている。そして、ＤＩＰスイッチ１０を回路基板（図示せず）に載置し、リフロー炉等により半田付けを行う際に、光源である発光ダイオード３１をこの光源係止孔１５に収容あるいは係止して、ＤＩＰスイッチ１０とともに半田付けを行えるようにすることにより、発光ダイオード３１の取付精度を向上することができるため、照光機能付きＤＩＰスイッチ１２の照光をより確実なものとすることができる。
また、光源係止部としては、このような光源係止孔１５を設けたものに限らず、光源を係止可能あるいは光源の位置決めが可能であれば、他の任意の形状に形成することも可能である。
【００１９】
そして、このＤＩＰスイッチ本体１１の側方（ここでは両側）に、入光部７と出光部５とを有する導光部６を接着等の方法により固着することにより、導光部６とＤＩＰスイッチ１０とを一体的に設けた、照光機能付きＤＩＰスイッチ１２を得ることができる。
このように構成した、本発明の照光機能付きＤＩＰスイッチにあっても、本発明の第１の実施の形態のライトガイドと同様の効果を得ることができる。
【００２０】
なお、本発明のライトガイドの係止片や枠体を省略したとしても、圧入や接着等の公知の方法により、既存のＤＩＰスイッチと一体化させることは可能であることから、このような方法により照光機能付きＤＩＰスイッチを構成してもよいことは言うまでもない。
【００２１】
【発明の効果】
以上、詳細に説明したように本発明にあっては次に列挙する効果を得ることができる。
（１）入光部と出光部とを有する少なくとも１つの導光部と、この導光部と一体的に設けられた枠体とからなり、前記枠体は既存のＤＩＰスイッチの外周を覆った状態で該ＤＩＰスイッチと係止可能な係止片を備え、前記導光部の入光部から入射した光を導光部内で屈折あるいは反射させることにより、出光部から出射された光が該ＤＩＰスイッチのスライダ操作部を照光可能とすることによりライトガイドを構成しているので、発光ダイオードの点灯により、スライダ操作部や操作面全面を照光することができ、別途懐中電灯のような照明装置を携帯する必要がなくなり、煩わしさを解消することができる。
また、ＤＩＰスイッチごと、あるいは、操作すべきＤＩＰスイッチ郡ごとに、発光ダイオードの発光色を変えたり、所望の発光ダイオードのみを点灯させる、あるいは、導光部材であるポリカーボネートに着色を施すなどの工夫により、操作すべきＤＩＰスイッチや、ＤＩＰスイッチ郡を明示することも可能であることから、誤って異なるＤＩＰスイッチを操作してしまうといった不具合も未然に防止することができる。
【００２２】
（２）また、導光部の出光部を略扇状に形成することにより、前記（１）と同様の効果を得ることができるとともに、ＤＩＰスイッチの操作面をほぼ均一に照光することができるため、より操作スライダの識別が容易になる。
【００２３】
（３）光源を導光部の入光部下方に位置するように係止可能な光源係止部を枠体あるいは導光部に設けることによりライトガイドを構成しているので、光源の取付精度を向上することができるため、前記（１）と同様の効果を得ることができるとともに、照光をより確実なものとすることができる。
【００２４】
（４）複数のスライダ操作部を備えるＤＩＰスイッチにおいて、入光部と出光部とを有する導光部と、前記導光部の入光部近傍に配置した光源とを備えるとともに、前記導光部を該ＤＩＰスイッチの側方に一体的に設けることにより、前記導光部の入光部から入射した光源の光を導光部内で屈折あるいは反射させて出光部へと導き、出光部から出射された光が該ＤＩＰスイッチのスライダ操作部を照光可能とすることにより照光機能付きＤＩＰスイッチを構成しているので、前記（１）と同様の効果を得ることができる。
【００２５】
（５）前記光源を前記入光部近傍に係止可能な光源係止部を前記ＤＩＰスイッチ本体に設けることにより照光機能付きＤＩＰスイッチを構成しているので、前記（３）と同様の効果を得ることができる。
【図面の簡単な説明】
【図１】本発明の第１の実施の形態のライトガイドの平面図。
【図２】本発明の第１の実施の形態のライトガイドの正面図。
【図３】本発明の第１の実施の形態のライトガイドの底面図。
【図４】本発明の第１の実施の形態のライトガイドの側面図。
【図５】図１のＶ−Ｖ断面図。
【図６】図１のＶＩ−ＶＩ断面図。
【図７】本発明のガイドライトを装着した状態を示す平面図。
【図８】本発明のガイドライトを装着し光源を搭載した状態を示す正面図。
【図９】本発明のガイドライトを装着し光源を搭載した状態を示す側面図。
【図１０】本発明のガイドライトを装着し光源を搭載した状態を示す斜視図。
【図１１】本発明のライトガイドを装着した状態の光の伝搬状態を模式的に示す平面図。
【図１２】本発明のライトガイドを装着した状態の光の伝搬状態を模式的に示す正面図。
【図１３】本発明の第２の実施の形態のライトガイドの平面図。
【図１４】図１３のＸＩＶ−ＸＩＶ断面図。
【図１５】本発明の照光機能付きＤＩＰスイッチのＤＩＰスイッチを示す平面図。
【図１６】本発明の照光機能付きＤＩＰスイッチのＤＩＰスイッチを示す正面図。
【図１７】本発明の照光機能付きＤＩＰスイッチの平面図。
【図１８】本発明の照光機能付きＤＩＰスイッチの正面図。
【符号の説明】
１，１ｂ：ライトガイド、          ３：枠体、
４：反射ミラー、
５，５ｂ：出光部、                ６，６ｂ：導光部、
７，７ｂ：入光部、                ９：係止片、
１０：ＤＩＰスイッチ、
１１：ＤＩＰスイッチ本体、        １２：照光機能付きＤＩＰスイッチ、
１３：光源係止部、                １５：光源係止孔、
２１：ＤＩＰスイッチ、            ２３：スライダ操作部、
２５：端子、                      ３１：発光ダイオード。
【図１】
2004259628.tif 000003
【図２】
2004259628.tif 000004
【図３】
2004259628.tif 000005
【図４】
2004259628.tif 000006
【図５】
2004259628.tif 000007
【図６】
2004259628.tif 000008
【図７】
2004259628.tif 000009
【図８】
2004259628.tif 000010
【図９】
2004259628.tif 000011
【図１０】
2004259628.tif 000012
【図１１】
2004259628.tif 000013
【図１２】
2004259628.tif 000014
【図１３】
2004259628.tif 000015
【図１４】
2004259628.tif 000016
【図１５】
2004259628.tif 000017
【図１６】
2004259628.tif 000018
【図１７】
2004259628.tif 000019
【図１８】
2004259628.tif 000020